(57)【要約】【課題】電子内視鏡の信号コネクタをビデオプロセッサのコネクタ受けに接続する際に、複数の接点部材の接続タイミングにずれがあってもエラーが発生しない電子内視鏡装置の信号コネクタ接続部を提供すること。【解決手段】複数の接点部材が６，１７全て接続状態になる位置に回転ハンドル１５があることを検出するための回転位置検出手段２１を設けて、回転位置検出手段２１が上記検出をしている状態のときだけ複数の接点部材６，１７における信号伝達が有効なものとして処理されるようにした。【選択図】      図１
2006129964.tif 000002
【特許請求の範囲】
【請求項１】
電子内視鏡の挿入部先端に配置された固体撮像装置に入出力される信号をビデオプロセッサとの間で伝達するために、上記電子内視鏡の信号コネクタと上記ビデオプロセッサのコネクタ受けとに各々複数の接点部材が対応して設けられると共に、上記信号コネクタと上記コネクタ受けの一方に設けられた係合ピンを他方に設けられたカム溝に係合させるための回転ハンドルが設けられて、上記回転ハンドルを回転操作することにより上記係合ピンが上記カム溝に沿って案内されて、上記信号コネクタの接点部材と上記ビデオプロセッサの接点部材とが接続された状態になるように構成された電子内視鏡装置の信号コネクタ接続部において、
上記複数の接点部材が全て接続状態になる位置に上記回転ハンドルがあることを検出するための回転位置検出手段を設けて、上記回転位置検出手段が上記検出をしている状態のときだけ上記複数の接点部材における信号伝達が有効なものとして処理されるようにしたことを特徴とする電子内視鏡装置の信号コネクタ接続部。
【請求項２】
上記回転ハンドルの回転運動をロックするためのロック機構が設けられていて、上記回転位置検出手段が上記検出をしている状態において上記ロック機構がロック状態になる請求項１記載の電子内視鏡装置の信号コネクタ接続部。
【発明の詳細な説明】
【技術分野】
【０００１】
この発明は電子内視鏡装置の信号コネクタ接続部に関する。
【背景技術】
【０００２】
電子内視鏡装置においては一般に、電子内視鏡の挿入部先端に配置された固体撮像装置に入出力される信号をビデオプロセッサとの間で伝達するために、電子内視鏡の信号コネクタとビデオプロセッサのコネクタ受けとに各々複数の接点部材が対応して設けられている。
【０００３】
そして、信号コネクタをコネクタ受けに確実に接続してその接続状態を維持するために、信号コネクタとコネクタ受けの一方に設けられた係合ピンを他方に設けられたカム溝に係合させ、回転ハンドルを回転操作することにより係合ピンがカム溝に沿って案内されるようにしている（例えば、特許文献１）。
【特許文献１】特開平１０−５２４００
【発明の開示】
【発明が解決しようとする課題】
【０００４】
上述のような電子内視鏡装置の信号コネクタ接続部においては、回転ハンドルを回転操作して係合ピンがカム溝に沿って案内されるのに伴って、その途中位置で、電子内視鏡の信号コネクタに設けられた複数の接点部材とそれに対応してビデオプロセッサのコネクタ受けに設けられた複数の接点部材とが接続された状態になる。
【０００５】
しかし、複数の接点部材が接続状態に移行する際には、各接点部材やその取り付け部材の寸法交差等により、一部の接点部材は接続されているが一部の接点部材は接続されていない状態が発生するため、『接続不良』が起きたものとビデオプロセッサ側で認識されてエラー処理に移行してしまう場合があった。
【０００６】
そこで本発明は、電子内視鏡の信号コネクタをビデオプロセッサのコネクタ受けに接続する際に、複数の接点部材の接続タイミングにずれがあってもエラーが発生しない電子内視鏡装置の信号コネクタ接続部を提供することを目的とする。
【課題を解決するための手段】
【０００７】
上記の目的を達成するため、本発明の電子内視鏡装置の信号コネクタ接続部は、電子内視鏡の挿入部先端に配置された固体撮像装置に入出力される信号をビデオプロセッサとの間で伝達するために、電子内視鏡の信号コネクタとビデオプロセッサのコネクタ受けとに各々複数の接点部材が対応して設けられると共に、信号コネクタとコネクタ受けの一方に設けられた係合ピンを他方に設けられたカム溝に係合させるための回転ハンドルが設けられて、回転ハンドルを回転操作することにより係合ピンがカム溝に沿って案内されて、信号コネクタの接点部材とビデオプロセッサの接点部材とが接続された状態になるように構成された電子内視鏡装置の信号コネクタ接続部において、複数の接点部材が全て接続状態になる位置に回転ハンドルがあることを検出するための回転位置検出手段を設けて、回転位置検出手段が上記検出をしている状態のときだけ複数の接点部材における信号伝達が有効なものとして処理されるようにしたものである。
【０００８】
なお、回転ハンドルの回転運動をロックするためのロック機構が設けられていて、回転位置検出手段が上記検出をしている状態においてロック機構がロック状態になるようにしてもよい。
【発明の効果】
【０００９】
本発明の電子内視鏡装置の信号コネクタ接続部によれば、電子内視鏡の信号コネクタとビデオプロセッサのコネクタ受けとに設けられた複数の接点部材が全て接続状態になる位置に回転ハンドルがあることを検出するための回転位置検出手段を設けて、回転位置検出手段が上記検出をしている状態のときだけ複数の接点部材における信号伝達が有効なものとして処理されるようにしたことにより、全ての接点部材が接続された状態になる過程において複数の接点部材の接続タイミングにずれがあってもエラーが発生しない。
【発明を実施するための最良の形態】
【００１０】
電子内視鏡の挿入部先端に配置された固体撮像装置に入出力される信号をビデオプロセッサとの間で伝達するために、電子内視鏡の信号コネクタとビデオプロセッサのコネクタ受けとに各々複数の接点部材が対応して設けられると共に、信号コネクタとコネクタ受けの一方に設けられた係合ピンを他方に設けられたカム溝に係合させるための回転ハンドルが設けられて、回転ハンドルを回転操作することにより係合ピンがカム溝に沿って案内されて、信号コネクタの接点部材とビデオプロセッサの接点部材とが接続された状態になるように構成された電子内視鏡装置の信号コネクタ接続部において、複数の接点部材が全て接続状態になる位置に回転ハンドルがあることを検出するための回転位置検出手段を設けて、回転位置検出手段が上記検出をしている状態のときだけ複数の接点部材における信号伝達が有効なものとして処理されるようにする。
【実施例】
【００１１】
図面を参照して本発明の実施例を説明する。
図２は内視鏡用のビデオプロセッサ（兼光源装置）１０を示しており、そのフロントパネル部１１には、図示されていない内視鏡のライトガイドコネクタと信号コネクタが接続されるライトガイドコネクタ受け１３と信号コネクタ受け１４とが並んで配置されている。１５は、信号コネクタを信号コネクタ受け１４に接続する際に回転操作される回転ハンドルである。
【００１２】
図３は信号コネクタ受け１４を示しており、外方に突出する状態にビデオプロセッサ１０のフロントパネル１１部分に取り付けられた円筒状の受け筒体１６の底部に、複数の（例えば１０〜５０個程度の）接点孔１７（接点部材）が配列されている。
【００１３】
各接点孔１７は、短円柱状に形成された電気絶縁部材に凹んだ状態に形成されてその内部に電気接点が形成されており、その各々が、図示が省略されている信号線によって後述するビデオプロセッサ１０内の制御ボード２５に接続されている。
【００１４】
受け筒体１６には、突端側に開口する直線溝１８が軸線と平行方向に形成されており、受け筒体１６の外周部に軸線周りに回転自在に（ただし、軸線方向へは移動しない状態に）嵌合配置されたカム筒体１９に、直線溝１８と位置を合わせてカム溝２０が形成されている。
【００１５】
カム溝２０は、展開図である図４にも示されるように、後述する電子内視鏡１の信号コネクタ２に設けられた係合ピン７を係合させることができるよう、カム筒体１９の突端面に開口部２０ａが形成されていて、カム溝２０に沿って係合ピン７を係合させることにより、信号コネクタ２が信号コネクタ受け１４に接続された状態になって行くようになっている。
【００１６】
回転ハンドル１５とカム筒体１９とは一体に回転するように連結固着されており、カム筒体１９の外周部には、フロントパネル１１に固定的に配置されたマイクロスイッチ２１（回転位置検出手段）を回転ハンドル１５の回転動作に伴ってオン／オフさせるための突片２２が突出形成されている。
【００１７】
また、クリック部材２３の先端が、カム筒体１９の裏底面に常時弾力的に押しつけられた状態になるようにフロントパネル１１から突出配置されており、回転ハンドル１５を、信号コネクタ２が信号コネクタ受け１４に完全に接続された状態であるロック位置まで回動させると、図１に示されるように、カム筒体１９の裏底面に形成されているクリック孔２４にクリック部材２３の先端が係合して、カム筒体１９と回転ハンドル１５の回転運動が弾力的にクリック固定される。
【００１８】
図５は、図示されていないライトガイドコネクタと並んで電子内視鏡１のコネクタ部３に突設された信号コネクタ２を示しており、信号コネクタ受け１４の受け筒体１６に対して挿脱自在に嵌挿される円筒状の差し込み筒体４内に配置された絶縁基板５から、信号コネクタ受け１４の接点孔１７に対応する位置に複数の接点ピン６（接点部材）が立設されている。
【００１９】
そして、信号コネクタ２を信号コネクタ受け１４に接続させると、接点ピン６が各々接点孔１７に差し込まれた状態になり、その間において電気的接続が行われる。なお、各接点ピン６は、図示が省略されている信号線によって電子内視鏡１の挿入部先端に配置された固体撮像装置８（図７参照）に接続されている。
【００２０】
また、差し込み筒体４の外周部には、信号コネクタ受け１４の直線溝１８及びカム溝２０と係合する係合ピン７が側方に向かって突設されており、信号コネクタ受け１４と直線溝１８との係合によって差し込み筒体４の軸線周りの回転運動が規制され、回転ハンドル１５を回転操作してカム溝２０を回動させることにより、係合ピン７がカム溝２０に沿って案内されて差し込み筒体４が受け筒体１６内に導かれ、接点ピン６が接点孔１７内に入って行く。
【００２１】
図６は信号コネクタ受け１４部分の正面図であり、回転ハンドル１５が待機位置にある時は突片２２がマイクロスイッチ２１から離れた位置にあり、信号コネクタ２の係合ピン７を信号コネクタ受け１４のカム溝２０に係合させて回転ハンドル１５を軸線周りに回転操作すると、その動作の途中において、全ての接点ピン６と接点孔１７とが接続される位置を過ぎた位置で、マイクロスイッチ２１が突片２２に押されてオフからオンになる（又は、オンからオフになる）。
【００２２】
そのようにして、全ての接点ピン６と接点孔１７とが接続された状態になる位置に回転ハンドル１５が達したことがマイクロスイッチ２１によって検出され、回転ハンドル１５がクリック部材２３によってクリック固定されるロック位置まで回動した状態においては、全ての接点ピン６と接点孔１７とが接続された状態になっていて、それをマイクロスイッチ２１が検出した状態になっている。
【００２３】
図１は、ビデオプロセッサ１０の信号コネクタ受け１４に電子内視鏡１の信号コネクタ２が接続されて回転ハンドル１５がロック位置にある状態を示しており、全ての接点ピン６が接点孔１７内に深く差し込まれて互いに電気的に接続され、その状態がマイクロスイッチ２１により検出されている。そして、係合ピン７がカム溝２０に係合していることにより、信号コネクタ２と信号コネクタ受け１４との機械的接続が外れない状態になっている。
【００２４】
図７は、そのような信号コネクタ受け１４によって接続される電子内視鏡１側とビデオプロセッサ１０側の信号配線を略示しており、ビデオプロセッサ１０内には、ＣＰＵ（中央演算装置）が搭載された制御ボード２５が配置されていて、信号コネクタ２が信号コネクタ受け１４に接続されて接点ピン６と接点孔１７が接続されることにより、固体撮像装置８に入出力される信号を伝達する信号線が全て制御ボード２５と接続された状態になる。
【００２５】
しかし、制御ボード２５においては、マイクロスイッチ２１から制御ボード２５に送られてくる検出信号がＣＰＵにより処理されて、図８に略示されるように、マイクロスイッチ２１から全ての接点部材（接点ピン６と接点孔１７）が接続された状態の位置に回転ハンドル１５があることを検出する検出信号が入力して始めて、各接点部材（接点ピン６と接点孔１７）における信号伝達を有効なものとして処理するように制御される。
【００２６】
したがって、全ての接点部材（接点ピン６と接点孔１７）が接続された状態になる過程において、接点部材（接点ピン６と接点孔１７）の一部が接続されて一部が未接続の状態があっても、その過程では固体撮像装置８との間の信号伝達が制御ボード２５において有効なものとして処理されず、固体撮像装置８との間の信号伝達が有効になった状態では必ず全ての接点部材（接点ピン６と接点孔１７）が接続された状態になっているので、誤ったエラー処理等が実行される恐れがない。
【００２７】
なお、本発明は上記実施例に限定されるものではなく、例えばカム溝２０が信号コネクタ２側に設けられて、係合ピン７が信号コネクタ受け１４側に設けられた構成等であっても差し支えない。
【図面の簡単な説明】
【００２８】
【図１】本発明の実施例の電子内視鏡装置の信号コネクタ接続部のロック状態の側面断面図である。
【図２】本発明の実施例のビデオプロセッサの外観斜視図である。
【図３】本発明の実施例の信号コネクタ受けの側面断面図である。
【図４】本発明の実施例のカム溝の展開図である。
【図５】本発明の実施例の信号コネクタの側面断面図である。
【図６】本発明の実施例の信号コネクタ受けの正面図である。
【図７】本発明の実施例のビデオプロセッサに電子内視鏡が接続された状態における配線の略示図である。
【図８】本発明の実施例の制御ボードにおいて行われる信号伝達の有効／無効制御の動作を略示するタイムチャートである。
【符号の説明】
【００２９】
１  電子内視鏡
２  信号コネクタ
６  接点ピン（接点部材）
７  係合ピン
８  固体撮像装置
１０  ビデオプロセッサ
１４  信号コネクタ受け（コネクタ受け）
１５  回転ハンドル
１７  接点孔（接点部材）
１８  直線溝
１９  カム筒体
２０  カム溝
２１  マイクロスイッチ（回転位置検出手段）
２２  突片
２５  制御ボード
【図１】
2006129964.tif 000003
【図２】
2006129964.tif 000004
【図３】
2006129964.tif 000005
【図４】
2006129964.tif 000006
【図５】
2006129964.tif 000007
【図６】
2006129964.tif 000008
【図７】
2006129964.tif 000009
【図８】
2006129964.tif 000010